(57)【特許請求の範囲】
【請求項１】
無電極放電灯と、前記無電極放電灯に近接配置されると共に、高周波電流を通電することにより前記無電極放電灯に高周波電力を供給する誘導コイルと、直流電源を交流の高周波電力に変換して前記誘導コイルに供給するインバータ回路と、少なくともトランスを含み前記トランスの２次側巻線に発生する電圧により前記インバータ回路を駆動する駆動回路と、前記インバータ回路の出力端に接続された共振回路とから構成される無電極放電灯点灯装置に於て、前記トランスの１次巻線は前記共振回路を構成すると共に前記駆動回路を構成し、トランスの１次側巻線にかかる過電圧を直接検出する検出回路と、前記検出回路が過電圧を検出した際にその出力を受けて前記インバータ回路の発振を停止する発振停止回路とを設けたことを特徴とする無電極放電灯点灯装置。
【請求項２】
請求項１記載の無電極放電灯点灯装置に加えて、前記インバータ回路を起動する起動回路を設けると共に、前記検出回路または前記発振停止回路の少なくとも一方の電源を、前記起動回路から得ることを特徴とする無電極放電灯点灯装置。
【請求項３】
前記直流電源は、所謂チョッパ回路であると共に、前記チョッパ回路は、前記検出回路が過電圧を検出した際にその出力を受けて前記発振停止回路により動作を停止するものであることを特徴とする請求項１または請求項２に記載の無電極放電灯点灯装置。
【請求項４】
前記チョッパ回路は、前記発振停止回路の電源と前記チョッパ回路の出力電圧検出とを共用化し、前記チョッパ回路の出力電圧を略一定に保つことを特徴とする請求項３に記載の無電極放電灯点灯装置。
【発明の詳細な説明】
【０００１】
【発明の属する技術分野】
本発明は無電極放電灯点灯装置に関する。
【０００２】
【従来の技術】
本発明に係る従来例の回路図を図７に示す。
【０００３】
本回路は、交流電源ＶａｃをスイッチＳＷを介して整流器ＤＢ，電解コンデンサＣｏで整流平滑して直流電圧Ｅを得、起動回路１ａを介し、スイッチング素子Ｑ１，Ｑ２及びスイッチング素子Ｑ１，Ｑ２を駆動する駆動回路２からなる自励式でハーフブリッジ式のインバータ回路ＩＮＶ１で交流の高周波電力に変換し、共振回路３，コンデンサＣ４，抵抗Ｒ４，コイル４を介して無電極放電灯Ｌａに電力供給するものである。なお、抵抗Ｒ４はインバータ回路ＩＮＶ１起動時の起動を補助する為のものである。
【０００４】
電解コンデンサＣｏの両端には、インバータ回路ＩＮＶ１つまりスイッチング素子Ｑ１を起動する為の起動回路１ａが接続されている。起動回路１ａは、電界コンデンサＣｏの両端に接続された抵抗Ｒ１，Ｒ２の直列接続と、抵抗Ｒ１，Ｒ２の接続点Ａ１及びスイッチング素子Ｑ１，Ｑ２の接続点Ａ２の間に挿入されたコンデンサＣ１と、コンデンサＣ１の両端に並列接続された抵抗Ｒ３，ダイオ−ドＤ２の直列接続と、接続点Ａ１及びスイッチング素子Ｑ１のゲート端子間に接続されたトリガ素子Ｑ３（例えばＰＵＴ），ダイオ−ドＤ１の直列接続と、トリガ素子Ｑ３のアノード・ゲート間に接続された抵抗Ｒ５及びコンデンサＣ５と、トリガ素子Ｑ３のカソード・ゲート間に接続されたツェナ−ダイオ−ドＺＤ１とから構成される。
【０００５】
共振回路３は、２次巻線ｎ２，ｎ３を有するトランスＴ１の１次巻線ｎ１を介して、スイッチング素子Ｑ２のドレイン・ソース間に接続されたインダクタンス素子Ｌ１，コンデンサＣ３の直列回路からなる。コイル４は無電極放電灯Ｌａの外周に沿って近接配置された高周波電力供給用コイル（以下、誘導コイルと呼ぶ。）である。
【０００６】
インバータ回路ＩＮＶ１つまりスイッチング素子Ｑ１，Ｑ２は、起動後は駆動回路２により駆動され、駆動回路２は、トランスＴ１の２次巻線ｎ２，ｎ３と、トランスＴ１の１次巻線ｎ１と、トランスＴ１の２次巻線ｎ３の両端に接続されたコンデンサＣ２とから構成される。また、誘導コイル４と無電極放電灯Ｌａとで負荷回路５を構成する。
【０００７】
次に動作を簡単に説明する。
スイッチＳＷをオンして電源を投入すると、上述の様にして直流電圧Ｅを得、電解コンデンサＣｏ→抵抗Ｒ１→コンデンサＣ１→Ｌ１→抵抗Ｒ４→誘導コイル４→電解コンデンサＣｏからなる閉ループに電流が流れてコンデンサＣ１が充電される。コンデンサＣ１の両端電圧（以下、電圧と呼ぶ。）Ｖｃ１は徐々に上昇し、電圧Ｖｃ１がツェナ−ダイオ−ドＺＤ１のツェナー電圧を越えるとトリガ素子Ｑ３がオンし、コンデンサＣ１→トリガ素子Ｑ３→ダイオ−ドＤ１→トランスＴ１の２次巻線ｎ２→コンデンサＣ１からなる閉ループに電流が流れ、スイッチング素子Ｑ１のゲート・ソース間に電圧が発生してスイッチング素子Ｑ１がオンする。スイッチング素子Ｑ１がオンすると、電解コンデンサＣｏ→スイッチング素子Ｑ１→Ｌ１→コンデンサＣ３→トランスＴ１の１次巻線ｎ１→電解コンデンサＣｏの閉ループで電流が流れる。この電流によりトランスＴ１の２次巻線ｎ２，ｎ３に２次電圧が発生するので、以後スイッチング素子Ｑ１，Ｑ２は交互にオンオフを繰り返す。
【０００８】
よって、共振回路３に振動電流が流れてインバータ回路ＩＮＶ１が自励発振をし、高周波電力を発生する。そして、インバータ回路ＩＮＶ１から誘導コイル４に数ＭＨｚから数百ＭＨｚの高周波電流を流すことにより誘導コイル４に高周波電磁界を発生させ、無電極放電灯Ｌａに高周波電力を供給し、無電極放電灯Ｌａ内に高周波プラズマ電流を発生させて紫外線もしくは可視光を発生させる。
【０００９】
なおインバータ回路ＩＮＶ１が発振すると、スイッチング素子Ｑ１がオンしたときに電解コンデンサＣｏ→スイッチング素子Ｑ１→ダイオ−ドＤ２→抵抗Ｒ３→抵抗Ｒ２→電解コンデンサＣｏの閉ループに電流が流れるので起動回路１ａは停止する。
【００１０】
【発明が解決しようとする課題】
しかし、上記従来例に於ては以下の様な問題点が生じる。
【００１１】
無電極放電灯Ｌａが不点状態、無負荷状態となると、負荷回路５は誘導コイル４のみになるので、負荷インピーダンスが急激に減少し、共振回路３，誘導コイル４に供給される電力が増大し、スイッチング素子Ｑ１，Ｑ２に過電流が流れる。その為にスイッチング素子Ｑ１，Ｑ２に大きなストレスがかかり、大きなロスが発生してしまう。
【００１２】
本発明は、上記問題点に鑑みてなされたもので、その目的とするところは、小型化可能で、回路素子にかかるストレスの低減、回路効率の向上、及び無電極放電灯の安定点灯が可能な無電極放電灯点灯装置を提供することである。
【００１３】
【課題を解決するための手段】
上記問題点を解決するために、請求項１記載の発明によれば、無電極放電灯と、前記無電極放電灯に近接配置されると共に、高周波電流を通電することにより前記無電極放電灯に高周波電力を供給する誘導コイルと、直流電源を交流の高周波電力に変換して前記誘導コイルに供給するインバータ回路と、少なくともトランスを含み前記トランスの２次側巻線に発生する電圧により前記インバータ回路を駆動する駆動回路と、前記インバータ回路の出力端に接続された共振回路とから構成される無電極放電灯点灯装置に於て、前記トランスの１次巻線は前記共振回路を構成すると共に前記駆動回路を構成し、トランスの１次側巻線にかかる過電圧を直接検出する検出回路と、前記検出回路が過電圧を検出した際にその出力を受けて前記インバータ回路の発振を停止する発振停止回路とを設けたことを特徴とする。
【００１４】
請求項２記載の発明によれば、インバータ回路を起動する起動回路を設けると共に、検出回路または発振停止回路の少なくとも一方の電源を、起動回路から得ることを特徴とする。
【００１５】
請求項３記載の発明によれば、直流電源は、所謂チョッパ回路であると共に、チョッパ回路は、検出回路が過電圧を検出した際にその出力を受けて発振停止回路により動作を停止するものであることを特徴とする。
【００１６】
前記チョッパ回路は、前記発振停止回路の電源と前記チョッパ回路の出力電圧検出とを共用化し、前記チョッパ回路の出力電圧を略一定に保つことを特徴とする。
【００１７】
【実施の形態】
（実施の形態１）
本発明に係る第１の実施の形態のブロック構成図を図１に示す。
【００１８】
本構成は、直流電源Ｅをインバータ回路ＩＮＶで交流の高周波電力に変換し、共振回路３を介して負荷回路５に供給すると共に、駆動回路２を構成するトランスＴの１次巻線ｎ１の両端に発生する電圧を検出回路６により検出し、検出回路６の信号を受けた発振停止回路７によりインバータ回路ＩＮＶの発振を制御するものである。
【００１９】
そして、無電極放電灯Ｌａの不点状態もしくは無負荷状態などに於て、駆動回路２に供給される過電圧を検出回路６で検出して発振停止回路７によりインバータ回路ＩＮＶを停止させる。
【００２０】
この様に構成したことにより、無電極放電灯Ｌａの不点状態もしくは無負荷状態などに於て、インバータ回路ＩＮＶを保護することが可能となる。
【００２１】
（実施の形態２）
本発明に係る第２の実施の形態の回路図を図２に示す。
【００２２】
本実施の形態は第１の実施の形態の具体回路例であり、主回路構成は図７に示した従来例と同様である。
【００２３】
図７に示した従来例と異なる点は、トランスＴ１の１次巻線ｎ１の両端電圧を検出をする検出回路６ａと、そのハイ（Ｈ）レベルの出力信号を受けてインバータ回路ＩＮＶ１の発振を停止する発振停止回路７ａとを設けたことであり、その他の従来例と同一構成には同一符号を付すことにより説明を省略する。
【００２４】
ここで検出回路６ａは、トランスＴ１の１次巻線ｎ１の両端に接続されたダイオ−ドＤ３，抵抗Ｒ６の直列接続と、抵抗Ｒ６の両端に接続されたコンデンサＣ６と、ダイオ−ドＤ３及び抵抗Ｒ６の接続点に接続されたダイオ−ドＤ４，ツェナ−ダイオ−ドＺＤ２の直列接続とから構成される。ダイオ−ドＤ４の出力電圧が検出回路６ａの出力信号となる。
【００２５】
また発振停止回路７ａは、抵抗Ｒ７〜Ｒ１２，スイッチング素子Ｑ４〜Ｑ６，ダイオ−ドＤ６，ツェナ−ダイオ−ドＺＤ３，コンデンサＣ７から構成される。ここで、抵抗Ｒ１１，Ｒ１２，コンデンサＣ７，ツェナ−ダイオ−ドＺＤ３により発振停止回路７ａの電源回路を構成し、スイッチング素子Ｑ２の制御端子間にダイオ−ドＤ５，スイッチング素子Ｑ６の直列接続が接続されている。前記電源回路から抵抗Ｒ８，Ｒ９を介してスイッチング素子Ｑ４，Ｑ５のドレイン・ソース間に直流電圧を印加している。スイッチング素子Ｑ５は抵抗Ｒ１０と共にスイッチング素子Ｑ６の制御端子間に接続され、スイッチング素子Ｑ４はスイッチング素子Ｑ５の制御端子間に接続されている。また、前記電源回路から抵抗Ｒ９，ダイオ−ドＤ６を介して抵抗Ｒ７の両端に直流電圧が印加されると共に、検出回路６ａの出力信号が印加される。抵抗Ｒ７はスイッチング素子Ｑ４の制御端子間に接続されている。
【００２６】
次に動作を簡単に説明する。
トランスＴ１の１次巻線ｎ１に発生する電圧はダイオ−ドＤ３，抵抗Ｒ６，コンデンサＣ６により整流平滑され、コンデンサＣ６の両端電圧Ｖｃ６（以下，電圧Ｖｃ６と呼ぶ。）が得られる。
【００２７】
無電極放電灯Ｌａの正常点灯時に於ては、電圧Ｖｃ６がツェナ−ダイオ−ドＺＤ２のブレークオーバー電圧を越えない様に設定しておくことで検出回路６ａの出力信号はロー（Ｌ）レベルとなる。その出力信号を受けてスイッチング素子Ｑ４はオフ、スイッチング素子Ｑ５はオン、スイッチング素子Ｑ６はオフされるので、発振停止回路７ａはＬレベルの信号をインバータ回路ＩＮＶ１に出力する。よって、インバータ回路ＩＮＶ１は正常動作を継続し、無電極放電灯Ｌａの正常点灯は継続される。
【００２８】
無電極放電灯Ｌａの不点状態あるいは無負荷状態などの異常時には、トランスＴ１の１次巻線ｎ１の両端電圧の上昇に伴い、電圧Ｖｃ６が上昇し、ツェナ−ダイオ−ドＺＤ２のブレークオーバー電圧を越えると、検出回路６ａはＨレベルの出力信号を発振停止回路７ａに供給する。そして、スイッチング素子Ｑ４がオン、スイッチング素子Ｑ５がオフ、スイッチング素子Ｑ６がオンして発振停止回路７ａはＨレベルの出力信号をインバータ回路ＩＮＶ１に出力し、スイッチング素子Ｑ２をオフしてインバータ回路ＩＮＶ１の発振を停止する。なお、スイッチング素子Ｑ５がオフした場合、前記電源回路より抵抗Ｒ９，ダイオ−ドＤ６を介してスイッチング素子Ｑ４のゲート端子に電圧を供給することにより、スイッチング素子Ｑ６はオンを保持するのでインバータ回路ＩＮＶ１は発振停止を保持する。
【００２９】
（実施の形態３）
本発明に係る第３の実施の形態の回路図を図３に示す。
【００３０】
図２に示した第２の実施の形態と異なる点は、スイッチング素子Ｑ１の代わりにＬ３，コンデンサＣ１１の並列回路をスイッチング素子Ｑ２に直列接続してインバータ回路ＩＮＶ２を構成し、起動回路１ａの代わりにスイッチング素子Ｑ２を起動する起動回路１ｂを、検出回路６ａの代わりに検出回路６ｂを、発振停止回路７ａの代わりに発振停止回路７ｂを設けたことであり、その他の第２の実施の形態と同一構成には同一符号を付すことにより説明を省略する。
【００３１】
ここで起動回路１ｂは、コンデンサＣｏの両端に接続された抵抗Ｒ１３，Ｒ１４，コンデンサＣ８の直列接続と、抵抗Ｒ１４，コンデンサＣ８の接続点、及びコンデンサＣ３，トランスＴ１の１次巻線ｎ１の接続点の間に接続されたスイッチング素子Ｑ８，ダイオ−ドＤ６の直列接続とから構成され、トランスＴ１の１次巻線ｎ１，トランスＴ１の２次巻線ｎ２，コンデンサＣ２を介してスイッチング素子Ｑ２に起動信号を供給する。
【００３２】
検出回路６ｂは、抵抗Ｒ２１〜Ｒ２５，コンデンサＣ２１，Ｃ２２，ツェナ−ダイオ−ドＺＤ２３，ダイオ−ドＤ２１，コンパレータＩＣ１から構成される。ここで、抵抗Ｒ２１，Ｒ２２，コンデンサＣ２１，ツェナ−ダイオ−ドＺＤ２３により検出回路６ｂの電源回路を構成し、その出力電圧を抵抗Ｒ２３，Ｒ２４で電圧Ｖ１に分圧してコンパレータＩＣ１の負極入力端子に入力する。また、トランスＴ１の１次巻線ｎ１に発生する電圧はダイオ−ドＤ２１，抵抗Ｒ２５，コンデンサＣ２２により整流平滑されコンデンサＣ２２の両端電圧Ｖｃ２２（以下，電圧Ｖｃ２２と呼ぶ。）が得られる。電圧Ｖｃ２２はコンパレータＩＣ１の正極入力端子に入力される。コンパレータＩＣ１により電圧Ｖ１と電圧Ｖｃ２２とを比較出力し、それを検出回路６ｂの出力信号とする。
【００３３】
また発振停止回路７ｂは、スイッチング素子Ｑ２の制御端子間に接続されたダイオ−ドＤ５，スイッチング素子Ｑ６の直列接続と、スイッチング素子Ｑ６の制御端子間に接続された抵抗Ｒ１７と、検出回路６ｂの出力端及びスイッチング素子Ｑ６のゲート端子間に接続された抵抗Ｒ１６と、抵抗Ｒ１６を介してスイッチング素子Ｑ６のゲート端子及びダイオ−ドＤ２１のカソード端子間に接続された抵抗Ｒ１５，ダイオ−ドＤ７の直列接続とから構成される。
【００３４】
次に動作を簡単に説明する。
無電極放電灯Ｌａの正常点灯時に於ては、電圧Ｖ１が電圧Ｖｃ２２を越える様に設定しておくことで、コンパレータＩＣ１の出力、つまり検出回路６ｂの出力信号はＬレベルとなる。抵抗Ｒ１６，Ｒ１７を介してその出力信号を受けてスイッチング素子Ｑ６はオフされるので、発振停止回路７ｂはＬレベルの信号をインバータ回路ＩＮＶ２に出力する。よって、インバータ回路ＩＮＶ２は正常動作を継続し、無電極放電灯Ｌａの正常点灯は継続される。
【００３５】
無電極放電灯Ｌａの不点状態あるいは無負荷状態などの異常時には、トランスＴ１の１次巻線ｎ１の両端電圧の上昇に伴い、電圧Ｖｃ２２が電圧Ｖ１を上回ると、コンパレータＩＣ１の出力、つまり検出回路６ｂの出力信号はＨレベルとなる。抵抗Ｒ１６，Ｒ１７を介してその出力信号を受けてスイッチング素子Ｑ６はオンされるので、発振停止回路７ｂはＨレベルの信号をインバータ回路ＩＮＶ２に出力し、スイッチング素子Ｑ２をオフしてインバータ回路ＩＮＶ１の発振を停止する。なおコンパレータＩＣ１がＨレベルの信号を出力すると、抵抗Ｒ１５，ダイオ−ドＤ７を介してコンデンサＣ２２を充電するのでコンパレータＩＣ１はＨレベルの出力信号を保持し、スイッチング素子Ｑ６はオンを保持するのでインバータ回路ＩＮＶ１は発振停止を保持する。
【００３６】
（実施の形態４）
本発明に係る第４の実施の形態の回路図を図４に示す。
【００３７】
図１に示した第１の実施の形態と異なる点は、検出回路６ａ，発振停止回路７ａの代わりに検出回路６ｃ，発振停止回路７ｃを設けたことであり、その他の第１の実施の形態と同一構成には同一符号を付すことにより説明を省略する。
【００３８】
ここで検出回路６ｃは、トランスＴ１の１次巻線ｎ１の両端に接続されたダイオ−ドＤ３１，抵抗Ｒ３５，Ｒ３６の直列接続と、抵抗Ｒ３６の両端に接続されたコンデンサＣ３３と、抵抗Ｒ３５，Ｒ３６の接続点に接続されたツェナ−ダイオ−ドＺＤ３２とから構成され、ツェナ−ダイオ−ドＺＤ３２の出力電圧が検出回路６ｃの出力信号である。
【００３９】
発振停止回路７ｃは、抵抗Ｒ３１〜Ｒ３３と、ツェナ−ダイオ−ドＺＤ３１と、コンデンサＣ３１と、スイッチング素子Ｑ７，Ｑ８と、ダイオ−ドＤ５とから構成され、図２に示した抵抗Ｒ２の代わりに設けられた抵抗Ｒ３１，Ｒ３２と、ツェナ−ダイオ−ドＺＤ３１，コンデンサＣ３１とから発振停止回路７ｃの電源回路を構成している。
【００４０】
次に動作を簡単に説明する。
無電極放電灯Ｌａの正常点灯時に於ては、コンデンサＣ３３の両端電圧Ｖｃ３３（以下、電圧Ｖｃ３３と呼ぶ。）がツェナ−ダイオ−ドＺＤ３２のブレークオーバー電圧を下回るように設定しておくことで、検出回路６ｃの出力信号はＬレベルとなる。コンデンサＣ３２，抵抗Ｒ３４を介してその出力信号を受けてスイッチング素子Ｑ７，Ｑ８はオフされるので、発振停止回路７ｃはＬレベルの信号をインバータ回路ＩＮＶ１に出力する。よって、インバータ回路ＩＮＶ１は正常動作を継続し、無電極放電灯Ｌａの正常点灯は継続される。
【００４１】
無電極放電灯Ｌａの不点状態あるいは無負荷状態などの異常時には、トランスＴ１の１次巻線ｎ１の両端電圧の上昇に伴い、電圧Ｖｃ３３が上昇し、ツェナ−ダイオ−ドＺＤ３２のブレークオーバー電圧を上回ると、ツェナ−ダイオ−ドＺＤ３２の出力電圧がＨレベルとなり、つまり検出回路６ｃの出力信号はＨレベルとなる。その信号を受けてスイッチング素子Ｑ７がオンし、続いてスイッチング素子Ｑ８がオンすることにより、発振停止回路７ｃはＨレベルの信号をインバータ回路ＩＮＶ１に出力し、スイッチング素子Ｑ２をオフしてインバータ回路ＩＮＶ１の発振を停止する。なおスイッチング素子Ｑ７，Ｑ８が一度オンするとオン状態を継続するのでインバータ回路ＩＮＶ１は発振停止を保持する。
【００４２】
（実施の形態５）
本発明に係る第５の実施の形態の回路図を図５に示す。
【００４３】
図２に示した第２の実施の形態と異なる点は、整流器ＤＢの出力端にＬｏ，ダイオ−ドＤｏ，スイッチング素子Ｑｏ，スイッチング素子Ｑｏを制御するチョッパ制御回路９ａからなる所謂昇圧チョッパ回路（以下、チョッパ回路と呼ぶ。）８と、スイッチング素子Ｑｏのゲート端子とダイオ−ドＤ５のカソード端子との間に挿入されたダイオ−ドＤ４１とを設けたことであり、その他の第２の実施の形態と同一構成には同一符号を付すことにより説明を省略する。
【００４４】
次に動作を簡単に説明する。
無電極放電灯Ｌａの正常点灯時に於ては、上述の様に、インバータ回路ＩＮＶ１は正常動作を継続して無電極放電灯Ｌａの正常点灯は継続される。
【００４５】
無電極放電灯Ｌａの不点状態あるいは無負荷状態などの異常時には、上述の様に、発振停止回路７ａはＨレベルの信号をインバータ回路ＩＮＶ１に出力し、スイッチング素子Ｑ２をオフしてインバータ回路ＩＮＶ１の発振を停止する。それと共に、ダイオ−ドＤ４１を介してスイッチング素子Ｑｏの制御端子間が短絡されるので、チョッパ回路８は発振を停止する。なお、スイッチング素子Ｑ５がオフした場合、前記電源回路より抵抗Ｒ９，ダイオ−ドＤ６を介してスイッチング素子Ｑ４のゲート端子に電圧を供給することにより、スイッチング素子Ｑ６はオンを保持するのでインバータ回路ＩＮＶ１及びチョッパ回路８は動作停止を保持する。
【００４６】
（実施の形態６）
本発明に係る第６の実施の形態の回路図を図６に示す。
【００４７】
図５に示した第５の実施の形態と異なる点は、チョッパ制御回路９ａの代わりにチョッパ制御回路９ｂを設け、ツェナ−ダイオ−ドＺＤ３を省略したことであり、その他の第５の実施の形態と同一構成には同一符号を付すことにより説明を省略する。
【００４８】
ここでチョッパ制御回路９ｂは、抵抗Ｒ１１，Ｒ１２，コンデンサＣ７を介して直流電源Ｅを検出してスイッチング素子Ｑｏのオンデューティ及び周波数を制御し、直流電源Ｅを略一定に保つものである。
【００４９】
この様に構成したことにより、無電極放電灯Ｌａの不点状態あるいは無負荷状態などの異常時に於て、上述の様に発振停止回路７ａによりインバータ回路ＩＮＶ１の発振停止を行うが、この場合、スイッチング素子Ｑ４がオンしているので、抵抗Ｒ８と抵抗Ｒ１２との並列回路で決定される抵抗Ｒ１２の両端電圧Ｖｒ１２（以下、電圧Ｖｒ１２と呼ぶ。）は低下する。なお、抵抗Ｒ７と抵抗Ｒ９とで決まる合成抵抗値は、抵抗Ｒ８の値よりも大きくなる様に設定しておくことが望ましい。そして、電圧Ｖｒ１２が一定電圧以下になると、チョッパ制御回路９ｂの出力がＬレベルになる様に設定しておく。
【００５０】
また、上記第５，第６の実施の形態に示した様に構成したことにより、無電極放電灯Ｌａの不点状態あるいは無負荷状態などの異常時に於て、確実にインバータ回路とチョッパ回路との動作を停止することができるので、インバータ回路の発振停止時でのチョッパ回路での消費電力を低減できる。
【００５１】
上記全ての実施の形態に於ては、検出回路６ａ〜６ｃでトランスＴ１の１次巻線ｎ１の両端電圧を検出することにより、直流電源の出力端から誘導コイル４までのグランドパターンが同一になるので、ノイズに対して影響が少なく、誤動作の少ない回路構成が得られる。
【００５２】
なお上記全ての実施の形態に於て、インバータ回路ＩＮＶ１，ＩＮＶ２はハーフブリッジ式でも、フルブリッジ式などの他の方式でもよい。
【００５３】
【発明の効果】
請求項１記載のよれば、直流電源から誘導コイルまでのグランドパターンが同一になるので、ノイズに対して影響が少なく、誤動作を低減可能で、回路素子にかかるストレスの低減、回路効率の向上、及び無電極放電灯の安定点灯が可能な無電極放電灯点灯装置を提供できる。
【００５４】
請求項２記載のよれば、起動回路の一部と、発振停止回路の電源とを共用でき、つまり装置を小型化可能で、直流電源から誘導コイルまでのグランドパターンが同一になるので、ノイズに対して影響が少なく、誤動作を低減可能で、回路素子にかかるストレスの低減、回路効率の向上、及び無電極放電灯の安定点灯が可能な無電極放電灯点灯装置を提供できる。
【００５５】
請求項３記載のよれば、インバータ回路の発振停止時でのチョッパ回路での消費電力を低減可能で、直流電源から誘導コイルまでのグランドパターンが同一になるので、ノイズに対して影響が少なく、誤動作を低減可能で、回路素子にかかるストレスの低減、回路効率の向上、及び無電極放電灯の安定点灯が可能な無電極放電灯点灯装置を提供できる。
【００５６】
請求項４記載のよれば、検出回路または発振停止回路の電源と、チョッパ回路の出力電圧検出とを共用化したので装置を小型化可能で、直流電源から誘導コイルまでのグランドパターンが同一になるので、ノイズに対して影響が少なく、誤動作を低減可能で、回路素子にかかるストレスの低減、回路効率の向上、及び無電極放電灯の安定点灯が可能な無電極放電灯点灯装置を提供できる。
【図面の簡単な説明】
【図１】本発明に係る第１の実施の形態を示すブロック構成図である。
【図２】本発明に係る第２の実施の形態を示す回路図である。
【図３】本発明に係る第３の実施の形態を示す回路図である。
【図４】本発明に係る第４の実施の形態を示す回路図である。
【図５】本発明に係る第５の実施の形態を示す回路図である。
【図６】本発明に係る第６の実施の形態を示す回路図である。
【図７】本発明に係る従来例を示す回路図である。
【符号の説明】
１      起動回路
４      誘導コイル
６      検出回路
７      発振停止回路
８      チョッパ回路
ＩＮＶ  インバータ回路
Ｌａ    無電極放電灯
Ｅ      直流電源
【図１】
0003707101.tif 000002
【図２】
0003707101.tif 000003
【図３】
0003707101.tif 000004
【図４】
0003707101.tif 000005
【図５】
0003707101.tif 000006
【図６】
0003707101.tif 000007
【図７】
0003707101.tif 000008